(57)【要約】      （修正有）【課題】エレベーターに対してタイムリーな監視制御を実現し、また、携帯電話やＰＣなどのターミナルによって、遠隔監視制御や管理をするエレベーター遠隔監視制御システムを提供する。【解決手段】エレベーター遠隔監視制御システムは、順番に接続されるエレベーターデータ収集器と、インターネットコントローラーと、無線送信モジュールと、エレベーター監視制御ターミナルとを備え、更に、携帯電話と検索ターミナルとを備える。前記エレベーター監視制御ターミナルは、マスターモジュールと、前記マスターモジュールと接続する無線受信モジュールと、データベースサーバーと、ＷＥＢサーバーと、ＧＳＭ／ＧＰＲＳサーバーとを備え、前記無線受信モジュールが前記無線送信モジュールおよびデータベースサーバーと接続し、前記データベースサーバーが前記ＷＥＢサーバーと接続し、前記ＧＳＭ／ＧＰＲＳサーバーが前記携帯電話と接続し、前記ＷＥＢサーバーが前記検索ターミナルと接続する。【選択図】図１
0003181860.tif 000002
【実用新案登録請求の範囲】
【請求項１】
順番に接続されるエレベーターデータ収集器と、インターネットコントローラーと、無線送信モジュールと、エレベーター監視制御ターミナルとを備え、
更に、携帯電話と検索ターミナルとを備え、
前記エレベーター監視制御ターミナルは、マスターモジュールと、前記マスターモジュールと接続する無線受信モジュールと、データベースサーバーと、ＷＥＢサーバーと、ＧＳＭ／ＧＰＲＳサーバーとを備え、
前記無線受信モジュールが前記無線送信モジュールおよびデータベースサーバーと接続し、前記データベースサーバーが前記ＷＥＢサーバーと接続し、前記ＧＳＭ／ＧＰＲＳサーバーが前記携帯電話と接続し、前記ＷＥＢサーバーが前記検索ターミナルと接続することを特徴とする、インターネットによるエレベーター遠隔監視制御システム。
【請求項２】
前記検索ターミナルがマイクロコンピューターであることを特徴とする、請求項１記載のインターネットによるエレベーター遠隔監視制御システム。
【考案の詳細な説明】
【技術分野】
【０００１】
本考案はエレベーター監視制御分野、特にインターネットによるエレベーター遠隔監視制御システムに関するものである。
【背景技術】
【０００２】
国民経済の発展による現代的都市建設の推進に従って、高層ビルが各大都市においてますます普及してきた。高層ビルでは、エレベーターがよく使われる運行手段となり、人々の生活に不可欠な一部になってきている。エレベーターは高層ビルに出入りする人々の利便性を向上すると同時に、安全性の面ではいろいろな隠れた危険がある。数多くの原因から、エレベーターに対する全天候かつ２４時間のタイムリーな監視制御ができないことがあるため、エレベーターの事故がよく発生する。そのため、どのように運行するエレベーターに対してタイムリーな監視制御を行い、エレベーターの隠れた危険を取り除き、社会公衆の安全を守るかということが大きな問題となっている。
【考案の概要】
【考案が解決しようとする課題】
【０００３】
本考案はインターネットによるエレベーター遠隔監視制御システムを提供し、従来の技術における限界や欠陥によって生じる一つあるいは複数の問題を解決する。
【０００４】
本考案の他の優れた点や目的、特徴の一部を下記の明細書で説明する。他の一部は当該分野の通常の技術者にとっては下記の説明により明らかになる。明細書と請求項、図面で特別に説明した構造によって本考案の目的と長所を理解することができる。
【課題を解決するための手段】
【０００５】
本考案はインターネットによるエレベーター遠隔監視制御システムを提供する。該システムは、順番に接続されるエレベーターデータ収集器と、インターネットコントローラーと、無線送信モジュールと、エレベーター監視制御ターミナルとを備え、更に、携帯電話と検索ターミナルとを備え、前記エレベーター監視制御ターミナルは、マスターモジュールと、前記マスターモジュールと接続する無線受信モジュールと、データベースサーバーと、ＷＥＢサーバーと、ＧＳＭ／ＧＰＲＳサーバーとを備え、前記無線受信モジュールが前記無線送信モジュールおよびデータベースサーバーと接続し、前記データベースサーバーが前記ＷＥＢサーバーと接続し、前記ＧＳＭ／ＧＰＲＳサーバーが前記携帯電話と接続し、前記ＷＥＢサーバーが前記検索ターミナルと接続する。
【０００６】
前記検索ターミナルは、マイクロコンピューターであることが望ましい。
【考案の効果】
【０００７】
本考案はエレベーターに対してタイムリーな監視制御を実現し、また、携帯電話やＰＣなどの端末によって、遠隔監視制御や管理が可能となり、高い実用性を有する。
【図面の簡単な説明】
【０００８】
【図１】本考案の実施例のインターネットによるエレベーター遠隔監視制御システムの構造を示す図である。
【実施例】
【０００９】
以下では本考案の実施例を図面に基づき説明する。
【００１０】
図１で示すように、本考案によって提供されるインターネットによるエレベーター遠隔監視制御システムは、順番に接続されるエレベーターデータ収集器１と、インターネットコントローラー２と、無線送信モジュール３と、エレベーター監視制御ターミナル４とを備え、更に、携帯電話５と検索ターミナル６とを備え、前記エレベーター監視制御ターミナル４はマスターモジュール４０と、前記マスターモジュール４０と接続する無線受信モジュール４１と、データベースサーバー４２と、ＷＥＢサーバー４３と、ＧＳＭ／ＧＰＲＳサーバー４４とを備え、前記無線受信モジュール４１が前記無線送信モジュール３およびデータベースサーバー４２と接続し、前記データベースサーバー４２が前記ＷＥＢサーバー４３と接続し、前記ＧＳＭ／ＧＰＲＳサーバー４４が前記携帯電話５と接続し、前記ＷＥＢサーバー４３が前記検索ターミナル６と接続する。
【００１１】
本考案の処理は以下である。エレベーターデータ収集器１がタイムリーに各エレベーターの運行状況を監視し、インターネットコントローラー２が定期的にエレベーターの状態データおよびアドレス信号を無線送信モジュール３によってエレベーター監視制御ターミナル４に発信する。
【００１２】
検索ターミナル６がインターネットを介してＷＥＢサーバー４３にアクセスし、ＷＥＢサーバー４３がデータベースサーバー４２から対応するデータを取得して検索ターミナル６に送信し、検索ターミナル６で表示する。検索ターミナル６で表示されるインターネットのページが定期的に自動更新されるため、定期的にデータベースサーバー４２から最新のエレベーターの情報が取得され、最新の情報を検索ターミナル６で表示する。エレベーターが故障した場合、エレベーターデータ収集器１がエレベーター故障の情報を探知するとともに、インターネットコントローラー２を介してエレベーター故障情報と住所を示す信号をエレベーター監視制御ターミナル４に送信し、エレベーター監視制御ターミナル４がＷＥＢサーバー４３の定期的自動更新を行う際に、前記エレベーター故障情報と住所を示す信号を検索ターミナル６に送信し、検索ターミナル６でエレベーター故障の警告が表示される。検索ターミナル６が前記警告を確認した後、インターネットのページからＷＥＢサーバー４３を介して、データベースサーバー４２で故障警告の情報を削除するため、検索ターミナル６では故障警告が表示されなくなるが、検索ターミナル６からＷＥＢサーバー４３を介して、再び前記故障情報を検索することができる。
【００１３】
本考案の望ましい実施例において、前記検索ターミナル６はマイクロコンピューターである。
【００１４】
前記エレベーター監視制御ターミナル４の提供するＧＳＭ／ＧＰＲＳサーバー４４が取得したエレベーター監視制御データをＧＳＭ／ＧＰＲＳネットによって前記携帯電話５に送信し、遠隔監視および管理を実現する。
【産業上の利用可能性】
【００１５】
上記は本考案の最適実施例であり、本分野の技術者は、本考案に基づいて、具体的な実施例や応用する範囲を変更してもよい、本明細書の内容は本考案を限定するものではない。
【符号の説明】
【００１６】
１    エレベーターデータ収集器
２    インターネットコントローラー
３    無線送信モジュール
４    エレベーター監視制御ターミナル
５    携帯電話
６    検索ターミナル
４０  マスターモジュール
４１  無線受信モジュール
４２  データベースサーバー
４３  ＷＥＢサーバー
４４  ＧＳＭ／ＧＰＲＳサーバー
【図１】
0003181860.tif 000003